(57)【要約】【課題】遊技盤の左右方向での水平度の適切な調整を図る。【解決手段】遊技機枠１の収納室４に格納された遊技盤２１に水準器を横置きに載せた状態において、水準器の気泡が例えば右側にずれていれば、遊技盤２１の右側が左側よりも高くなっているので、作業者が左側の水平調整機構１０を操作して遊技盤２１の左側下部を押し上げる。逆に、遊技盤２１に横置きに搭載した水準器の気泡が左側にずれていれば、遊技盤２１の左側が右側よりも高くなっているので、作業者が右側の水平調整機構１０を操作して遊技盤２１の右側下部を押し上げる。そして、水準器の気泡が中央に存在したならば、遊技盤２１の左右方向の水平である水準調整が確保されたことになるので、水準器を遊技盤２１から取り除くことで、遊技が可能となる。【選択図】　　　　図１
2004041346.tif 000002
【特許請求の範囲】
【請求項１】
方形状の中央開口を取り囲む額縁状の周壁に遊技盤を格納する収納室を備えた遊技機枠において、収納室の遊技盤を搭載する棚に遊技盤の左右方向の水平度を調整する昇降可能な水平調整機構を設けたことを特徴とするパチンコ機の遊技機枠。
【請求項２】
水平調整機構をボルトナット機構で形成したことを特徴とする請求項１記載のパチンコ機の遊技機枠。
【請求項３】
水平調整機構の遊技盤と接触する昇降体を収納する凹部を棚に設けたことを特徴とする請求項１記載のパチンコ機の遊技機枠。
【請求項４】
棚を形成する周壁の前側から水平調整機構の昇降操作を可能に形成したことを特徴とする請求項１記載のパチンコ機の遊技機枠。
【発明の詳細な説明】
【０００１】
【発明の属する技術分野】
本発明はパチンコ機の遊技機枠であって、とりわけ、遊技盤の水準調整を行う構造に関する。
【０００２】
【従来の技術】
図３は従来のパチンコ機における遊技機枠１と遊技盤２１との分解した外観を示す。遊技機枠１は、方形状の中央開口２を取り囲む額縁状の周壁３から後方に遊技主体である遊技盤２１を格納する収納室４を備えた構造になっている。そして、作業者が遊技盤２１の下部を棚５に搭載し、遊技盤２１の左側部から先に収納室４に挿入して、遊技盤２１の左側部を収納室４の左側壁に設けられた弾性的な支持体１５を遊技盤２１で前側に撓ませつつ支持体１５と収納室４の後壁との間に押し込む。それに伴い、遊技盤２１の右側部も収納室４に挿入される。その後、作業者が遊技盤２１の右側部を前側から収納室４の後壁の方向に押すことによって、遊技盤２１の右側部に設けられた複数の長孔２２に収納室４の後壁に設けられた横長な摘部１６を挿入させる。摘部１６の裏面が長孔２２から長孔２２周りの遊技盤２１の前面よりも前側に突出した状態において、作業者が摘部１６を９０度回転操作すると、摘部１６の裏面が長孔２２周りの遊技盤２１の前面と接触して遊技盤２１の右側部を収納室４の後壁の方向に押圧する。これによって、遊技盤２１が棚５に載せられた状態で支持体１５と摘部１６および収納室４の後壁に接触しつつ支持体１５と摘部１６および収納室４の後壁とで支持される。
【０００３】
【発明が解決しようとする課題】
しかしながら、前記従来例は遊技盤２１の下部を収納室４の下縁を形成する棚５に載せるようにして、遊技盤２１を収納室４に収納された後に支持体１５や摘部１６及び長孔２２によって遊技機枠１に組み付けられる構造であるため、パチンコ店の島と呼ばれるような遊技機設置設備に遊技機枠１を取り付け、当該遊技機枠１の収納室４に遊技盤２１を格納した状態において、遊技盤２１が左右方向で水平に設置されていないことがあり、このように遊技盤２１の左右方向の水平である水準調整が確保されていない場合には、遊技盤２１の前面である意匠盤面のガイドレール２３で囲まれた内側の遊技領域２４において、球が適正に落下しないという問題点があった。その理由は、遊技釘２５、センター飾り２６、風車２７、入賞部品２８、可変入賞部品２９などの遊技部品は遊技盤２１が左右方向で水平に設置された場合に所定の球飛びをするように遊技領域２４に取り付けられているからである。例えば、アタッカー、大入賞口などと呼ばれる前後方向に開閉する開閉体を有する可変入賞部品２９、または図外のセンター役物と呼ばれる左右方向に開閉する開閉体を有する可変入賞部品は内部にＶゾーンと呼ばれるような遊技者に有利な結果をもたらす特定入賞口が設けられているが、上記のように遊技盤２１の水準調整が適正でない場合には、遊技領域２４から開閉体の開放中に可変入賞部品の内部に取り込まれた球の特定入賞口への入賞率が低くなるというように、特定入賞口への入賞率が遊技盤２１の設置された左右方向での水平度に左右される。
【０００４】
そこで、本発明は収納室に格納した遊技盤の左右方向での水平度を適切に調整することができるパチンコ機の遊技機枠を提供するものである。
【０００５】
【課題を解決するための手段】
本発明にあっては、方形状の中央開口を取り囲む額縁状の周壁に遊技盤を格納する収納室を備えた遊技機枠において、収納室の遊技盤を搭載する棚に遊技盤の左右方向の水平度を調整する昇降可能な水平調整機構を設けたことによって、遊技機枠の収納室に格納された遊技盤の遊技領域に左右で水平な位置として取り付けられている遊技部品に水準器を横置きに載せた状態において、水準器の気泡が例えば水準器の中央に存在せずに右側にずれている場合は、遊技盤の右側が左側よりも高くなっているので、作業者が遊技機枠の左側に存在する水平調整機構を操作して遊技盤の左側下部を押し上げる。逆に、遊技盤に横置きに搭載した水準器の気泡が水準器の中央よりも左側にずれている場合は、遊技盤の左側が右側よりも高くなっているので、作業者が遊技機枠の右側に存在する水平調整機構を操作して遊技盤の右側下部を押し上げる。このような左右の水平調整機構の操作によって、水準器の気泡が中央に存在したならば、遊技盤の左右方向の水平である水準調整が確保されたことになる。そして、遊技盤の左右方向の水平度が適切に取れたら、水準器を遊技盤から取り除くことで、遊技が可能となる。また、本発明にあっては、水平調整機構をボルトナット機構で形成すれば、ボルトナットの雄ねじと雌ねじとの嵌め合わせによって、回転操作量に比べて遊技盤の左側下部または右側下部を徐々に昇降させ、遊技盤の水準調整を一層適切に調整することができる。また、本発明にあっては、水平調整機構の遊技盤と接触する昇降体を収納する凹部を棚に設ければ、昇降体を凹部に収納して遊技盤の下部を棚に搭載することができるので、水平調整機構を設けても収納室を大きくする必要がない。また、本発明にあっては、棚を形成する周壁の前側から水平調整機構の昇降操作を可能に形成すれば、遊技盤の水準調整を簡単に行うことができる。
【０００６】
【発明の実施の形態】
図１および図２は一実施形態であって、図１は遊技機枠１と遊技盤２１との分解された外観を示し、図２は水平調整機構１０周りを縦方向に切断した断面を示す。本実施形態では前枠と呼ばれるような遊技機枠１を例として図示してある。この図示された遊技機枠１はパチンコ店の遊技機設置設備に取り付けられる額縁状の外枠と呼ばれる図外の遊技機枠に片開き可能に取り付けられる。その場合、図１の遊技機枠１の左側に設けられたヒンジが図外の外枠と呼ばれる遊技機枠の左側に設けられたヒンジに嵌め込まれることによって、前枠と呼ばれる遊技機枠１が外枠と呼ばれる遊技機枠に片開き可能に取り付けられる。また、図１の遊技機枠１の前側にはガラスや合成樹脂のような透視性の有るパネルの装着された前面飾りや皿装置が取り付けられる。
【０００７】
図１を参照し、遊技機枠１について説明する。遊技機枠１は方形状の中央開口２を取り囲む額縁状の周壁３から後方に突出する収納室４を備える。収納室４は遊技盤２１を格納するための部屋であって、収納室４の遊技盤２１を搭載する棚５には遊技盤２１の左右方向の水平度を調整する昇降可能な水平調整機構１０が左右に設けられる。棚５を構成する周壁３の一部であるフロント部６の前面は図示を省略したが球発射機構やスピーカーなどの部品が取り付けられるようになっている。フロント部６の上面である棚５には水平調整機構１０の遊技盤２１と接触する昇降体１１を収納する凹部７が設けられる。図２にも示すように、凹部７の底部中央にはフロント部６の内部に窪む縦穴８が形成される。フロント部６の前面にはフロント部６の内部に窪む受穴９が縦穴８の中間を交差して横切るように形成される。水平調整機構１０はボルトナット機構により形成される。具体的には、水平調整機構１０は円盤状の昇降体１１と、昇降体１１の中央部から軸方向の一方に突出したねじ棒１２と、中央部にねじ孔１３（雌ねじの形成された孔）の形成された操作部材１４とを備える。昇降体１１とねじ棒１２とは互いに回転しないように結合している。
【０００８】
水平調整機構１０は次のように棚５に組み付けられる。操作部材１４がフロント部６の前側から受穴９に挿入される。その状態において、操作部材１４の一部は受穴９からフロント部６の前面よりも前側に突出する。その後、ねじ棒１２が上方から凹部７を経由して縦穴８に挿入されて受穴９の内部における操作部材１４のねじ孔１３に装着される。それには、作業者が手で棚５よりも上方に位置する昇降体１１を一方向に回転操作することで、ねじ棒１２の雄ねじを操作部材１４のねじ孔１３の雌ねじに嵌め合わせる。それから、作業者が片方の手で昇降体１１またはねじ棒１２の回転を阻止したまま、作業者が他方の手でフロント部６の前面よりも前側に突出した操作部材１４を一方向に回転操作すると、当該操作に伴い、操作部材１４が受穴９の上面に接触した後に、ねじ棒１２が操作部材１４のねじ孔１３により下方に直線的に引き込まれるように移動し、昇降体１１が凹部７に取り込まれ、昇降体１１の上面が棚５と同一面または棚５よりもへこむような配置となる。
【０００９】
本実施形態の構造によれば、左右の水平調整機構１０における昇降体１１の上面が遊技機枠１の棚５と同一面または棚５よりもへこむような配置となった状態おいて、遊技盤２１が遊技機枠１の前側から収納室４に格納され後、遊技盤２１が支持体１５や摘部１６および長孔２２によって遊技機枠１に組み付けられたことによって、遊技盤２１が棚５に載せられた状態で支持体１５と摘部１６および収納室４の後壁に接触しつつ支持体１５と摘部１６および収納室４の後壁とで支持される。
【００１０】
前記のように遊技盤２１が遊技機枠１の収納室４に組み付けられた状態において、遊技盤２１の水準調整をする場合について説明する。例えば、遊技盤２１の遊技領域に左右で水平な位置として取り付けられている遊技部品に市販のガラス管のような容器の内部に１つの気泡を有する図外の水準器を横置きに載せる。そして、水準器の気泡が例えば水準器の中央に存在せずに右側にずれている場合は、遊技盤２１の右側が左側よりも高くなっているので、作業者が遊技機枠１の左側に存在する水平調整機構１０の摘部１６を遊技機枠１の前側から回転操作して昇降体１１を上方に移動させる。この昇降体１１の上方への移動に伴い、昇降体１１が遊技盤２１の左側下部を押し上げることによって、遊技盤２１の左側が右側下部を基準として徐々に高くなる。このように遊技盤２１の左側が押し上げられるのに伴い、水準器の気泡が右側から徐々に中央の方向に移動する。そして、水準器の気泡が中央に存在することによって、遊技盤２１の左右方向の水平である水準調整が確保されたことになるので、作業者が上記左側の水平調整機構１０の操作を止める。
【００１１】
逆に、遊技盤２１に横置きに搭載した水準器の気泡が水準器の中央よりも左側にずれている場合は、遊技盤２１の左側が右側よりも高くなっているので、作業者は遊技機枠１の右側に存在する水平調整機構１０の摘部１６を遊技機枠１の前側から回転操作して昇降体１１を上方に移動させる。この昇降体１１の上方への移動に伴い、昇降体１１が遊技盤２１の右側下部を押し上げることによって、遊技盤２１の右側が左側下部を基準として徐々に高くなる。このように遊技盤２１の右側が押し上げられるのに伴い、水準器の気泡が左側から徐々に中央の方向に移動する。そして、水準器の気泡が中央に存在したならば、遊技盤２１の左右方向の水平である水準調整が確保されたことになるので、作業者が上記右側の水平調整器後の操作を止める。
【００１２】
前記のように遊技盤２１の水準調整が終了したならば、図２に示すように棚５と遊技盤２１の下部との間に固形状のスぺーサー３０を挟み込むことによって、遊技盤２１の水準調整を一層確保するようにしてもよい。
【図面の簡単な説明】
【図１】一実施形態の遊技機枠を示す斜視図。
【図２】一実施形態の水平調整機構周りを示す縦断面図。
【図３】従来例を示す斜視図。
【符号の説明】
１　遊技機枠、２　中央開口、３　周壁、４　収納室、５　棚、７　凹部、
８　縦穴、９　受穴、１０　水平調整機構、１１　昇降体、１２　ねじ棒、
１３　ねじ孔、１４　操作部材、２１　遊技盤。
【図１】
2004041346.tif 000003
【図２】
2004041346.tif 000004
【図３】
2004041346.tif 000005